(57)【要約】  加圧下でバッグを飲料で満たすためのバルブアセンブリは、そこを通って延びる第１の通路および該バッグの内外への該第１の通路を通る飲料の流れを制御するために該第１の通路に置かれた第１の弁を有する。圧力抜き通路は、該バッグ内から該容器内へと、該バルブボディを通って延びる。破裂ディスクには、該圧力抜き通路を通常は閉じる該バルブボディが着座し、該バッグ中の該圧力が所定の圧力値を超えると破裂して、流体を、該圧力抜き通路を介して、該バッグの周りの該容器へと逃がすように適合される。
2007537952.tif 000002
【特許請求の範囲】
【請求項１】
バッグが容器内に収容され、バルブアセンブリによって固定された、加圧下でバッグを飲料で満たすために適合されたバルブアセンブリであって：
該容器によって固定されるように適合されたバルブボディ、ここに該バルブボディは該バルブボディを通って延びる第１の通路を有し；
該バッグの内外への該第１の通路を通して飲料の該流れを制御するための該第１の通路に置かれた第１のバルブ；
該バッグの内側から該容器内へと該バルブボディを通って延びる圧力抜き通路；および
該圧力抜き通路を通常は閉じる該バルブボディによって着座され、該バッグ内の該圧力が所定の圧力値を超えると破裂して、該圧力抜き通路を介して、該バッグから該バッグの周りの該容器へと流体を逃がすように適合された破裂ディスクを含む該バルブアセンブリ。
【請求項２】
該バルブボディが圧力抜き通路の開口を囲う埋め込み式ディスク形状台座を有し、該破裂ディスクが該埋め込み式ディスク形状台座に置かれた請求項１記載のバルブアセンブリ。
【請求項３】
該所定の圧力値が約７バールである請求項１記載のバルブアセンブリ。
【請求項４】
該破裂ディスクが、該圧力抜き通路の該開口を横切って延びるように、第１の側面上で該埋め込み式ディスク形状台座に貼り付けられた両面粘着物質のリング、および該リングの第２の側面に貼り付けられた少なくとも１つの膜を含み、ここに、該バッグ内の該圧力が該所定の圧力値を超えると、該膜が破裂する請求項２記載のバルブアセンブリ。
【請求項５】
該埋め込み式ディスク形状台座が、該圧力抜き通路の該開口を囲う丸い肩フランジを有し、ここに該膜は該丸い肩フランジの上方で曲がった請求項４記載のバルブアセンブリ。
【請求項６】
該膜が、アルミニウムホイルによって覆われた１層のポリ塩化ビニルプラスチックを含む請求項５記載のバルブアセンブリ。
【請求項７】
該バルブボディが、そこを通って延びる第２の通路を有し、第２のバルブが、該第２の通路を通して、該容器内へおよび該バッグ外への加圧ガスの該流れを制御するための該第２の通路に着座された請求項２記載のバルブアセンブリ。
【請求項８】
開口部を有する樽；
アルコール飲料を収容するための該樽中に収容されたバッグ；および
該バッグが固定され：かつ
該樽の該開口部に固定されたバルブボディ、ここに該バルブボディは、該バルブボディを通って延びる少なくとも第１および第２の間隔を設けられた通路を有し；
該バッグの内外への該第１の通路を通して飲料の該流れを制御するための該第１の通路に着座された第１のバルブ；
該容器内へおよび該バッグの外への該第２の通路を通る加圧ガスの該流れを制御するための該第２の通路に置かれた第２のバルブ；
該バッグ内から該容器内へと、該バルブボディを通って延びる圧力抜き通路；および
該圧力抜き通路を通常は閉じる該バルブボディと着座され、該バッグ中の該圧力が所定の圧力値を超えると破裂して、流体を、該バッグから、該圧力抜き通路を介して、該バッグの周りの該容器へと逃がすように適合された破裂ディスク：
を含むバルブアセンブリを含むアルコール飲料分注装置。
【請求項９】
該バルブボディが、該圧力抜き通路の開口を囲う埋め込み式ディスク形状台座を有し、該破裂ディスクが、該埋め込み式ディスク形状台座に着座される請求項８記載の装置。
【請求項１０】
該所定の圧力値が約７バールである請求項８記載の装置。
【請求項１１】
該破裂ディスクが、第１の側面上で、該埋め込み式ディスク形状台座に貼り付けられた両面粘着物質のリング、および該圧力抜き通路の該開口を横切って延びるように、該リングの第２の側面に貼り付けられた少なくとも１つの膜を含み、ここに該膜は、該バッグ中の該圧力が所定の圧力値を超えると破裂する請求項９記載の装置。
【請求項１２】
該埋め込み式ディスク形状台座が、該圧力抜き通路の該開口を囲う丸い肩フランジを有し、ここに該膜は該丸い肩フランジ上方に曲がっている請求項１１記載の装置。
【請求項１３】
該膜が、アルミニウムホイルで覆われた１層のポリ塩化ビニルプラスチックを含む請求項１２記載の装置。
【発明の詳細な説明】
【技術分野】
【０００１】
本発明は、当該容器内のバッグおよび該バッグおよび該容器の間の高圧条件を軽減するための破裂ディスクを有するアルコール飲料容器に関する。
【背景技術】
【０００２】
ボール紙製の容器に収容されたバッグ内にワインのようなアルコールを収容することは知られている。さらに、該バッグ中にビールを保存するために樽に挿入されたバッグを使用することは知られている。ビール樽の場合において、圧力を該バッグに適用して、該ビールを、バルブボディーアセンブリを介して、該バッグからおよび該樽の外へ分注する。さらに、該バルブボディーアセンブリを介して、該ビールが該バッグへと満たされる前に、該バッグは該樽容器に挿入される。
【０００３】
該バッグをビールで満たす工程の間、該ビールを加圧下で該バッグへと充填する。該バッグが膨らむにつれ、該容器壁および該バッグの間の該容器内に含有された空気は、該容器のもう一方のバルブで調節された開口部を通って出て行く。一旦該バッグがビールで満たされると、該バルブは閉じる。いくつかの例において、もし該バッグが過剰に充填されると、該炭酸飲料は膨張し続けて、ビール爆弾を作り出しかねない。従って、該バッグにかかり得る過度の圧力を相殺する安全機能を提供する必要がある。
【発明の開示】
【０００４】
発明の概要
本発明は、加圧下の飲料、および好ましくは、アルコール飲料に適合された容器に関する。該容器は、圧力下でバルブアセンブリを通って該アルコール飲料によって満たされるバッグで固定されたそこを通って延びるバルブアセンブリを有する。圧力抜き通路は、該バルブアセンブリを通って延び、破裂ディスクは、通常は、該通路を閉じる。該破裂ディスクは、該バッグ中の該圧力が所定の圧力値を超えると破裂するように調整される。該破裂ディスクの該使用は、該バッグ内の該圧力が所定値を超えると、該アルコール飲料であれあるいはガスであれ、該バッグ内に収容された該流体を該容器へ逃がすことができるという利点を提供する。
【０００５】
本発明の態様によって、圧力下でバッグを飲料で満たすのに適合されたバルブアセンブリが提供され、ここに該バッグは、容器中に収容され、該バルブアセンブリによって固定される。該バルブアセンブリは、該容器によって固定されるように調整されたバルブボディを含む。該バルブボディは、該バルブボディを通って延びる第１の通路を有する。第１のバルブは、該第１の通路を通る該バッグの内外への飲料の該流れを制御するための該第１の通路に置かれる。圧力抜き通路は、該バッグ内から該容器内へと、該バルブボディを通って延びる。破裂ディスクには、該圧力抜き通路を通常は閉じる該バルブボディが着座し、該バッグ中の該圧力が所定の圧力値を超えると、破裂して、流体を、該バッグから、該圧力抜き通路を通って、該バッグの周りの該容器へと逃がすことができるように適合される。
【０００６】
１つの具体例において、該バルブボディは、該圧力抜き通路の開口を囲う埋め込み式ディスク形状台座を有し、該破裂ディスクは、該埋め込み式ディスク形状台座に置かれる。
【０００７】
１つの具体例において、該破裂ディスクは、第１の側面上で、該埋め込み式ディスク形状台座に貼り付けられた両面粘着物質のリングを含む。該破裂ディスクは、該圧力抜き通路の該開口を横切って通るように、該リングの第２の側面に貼り付けられた少なくとも１つの膜を有する。該膜は、該バッグ中の該圧力が所定の圧力値を超えると破裂する。
【０００８】
発明の詳細な記載
図１および２を参照して、家庭用ビール分注装置、器具またはユニット１０が示される。該分注装置１０は、主に、家庭の台所での使用に意図されるが、ユーティリティ室、ガレージ、家庭内バー、キャラバン等で使用されてもよい。該好ましい具体例は、ビールを分注することに関するが、別法として、炭酸溶液または他のアルコール飲料を、装置１０によって分注してもよい。
【０００９】
該家庭用ビール分注装置１０は、前壁１２および該前壁１２より前方に突き出ている分注タップ１４を有する。ドリップトレイ１６も該前壁１２より前方に突き出ており、該分注タップ１４下の空のガラス容器１８を支えるように適合される。該家庭用ビール分注装置１０は、さらに、台所においてカウンタートップの上に静止するように適合されたベース２１を有する。該前壁１２は、閉鎖位置および開放位置の間を動かされて、該容器または樽２２（破線の図２参照）を該家庭用ビール分注装置１０のハウジングへと挿入させる２つの駆動する側壁２０の拡張として形成される。該家庭用ビール分注装置１０のハウジングは、さらに、頂壁２４および背壁２６を含む。該背壁２６は、該家庭用ビール分注装置１０内の空気の循環を可能にするグリル３０を有する。電気コード３２は、該装置１０の該背壁２６を通って延びて、主電源供給への接続を提供して、該分注装置１０内に収容された該電気要素に電力を供給する。別法として、１２ボルトＤＣ供給インプットを使用してもよい。
【００１０】
該分注装置１０は、分注装置１０に入れられた時、ビールの該樽２２を冷却するように適合された樽２２の後方および下方に位置する冷却システム３４を有する。また、該分注装置１０は、圧縮空気供給を提供することによって、該ビールを分注する（示されず）。
【００１１】
図３を参照して、ビール樽２２は、側壁４０および頂壁または頂部４２および下壁または下部４４を有する一般的な管状形を有する。頂壁４２および下壁４４の両方は、該樽２２の中心部分から上向きに曲がっており、隆起した環状カラー４６と提供される。該カラー４６は、該樽２２に対するさらなる支持体を提供する。
【００１２】
好ましい具体例においてはビール５２であるアルコール飲料を収容するためのプラスチックバッグ５０が該樽壁４０、４２および４４内に取り付けられる。
【００１３】
図３に示されるように、該樽は、該バッグ５０内のビール５２で満たされ、結果として、該バッグ５０は、該樽２２の内壁を覆う。該ビール５２が該樽２２から分注されるにつれ、空気圧力は、該バッグ５０の壁および該樽の壁４０、４２および４４の内側表面の間に確立されて、該バッグ５０に圧力を提供して、該ビール５２を該樽２２から分注させる。該空気圧力空間は、５５に示される。
【００１４】
該頂部４２および樽２２のカラー４６は、該頂部カラー４６を通って延びる樽分注デバイスまたはバルブアセンブリ６０を有する。該樽分注デバイス６０は、その頂部端６２にて、該樽分注デバイス６０から延びる管またはタップ接続（示されず）によって、該ビール分注装置１０の該タップ１４に接続される。
【００１５】
該バルブアセンブリ６０は、バッグ５０内の該樽２２に延びる浸漬管６６と接続されて、該樽２２の該底部分からビール５２を吸い上げるために、該樽の該底部分の隣に遠隔開口端６４を供する。ビール５２は、開口端６４を通って、中空管６６を上方へ、該バルブアセンブリ６０を通って、該タップ１４へと吸い上げられる（図１）。充填のためには、ビールは該バルブアセンブリ６０を通って該管６６を下方へ、かつ端部６４から外に、バッグ５０へと挿入される。バルブアセンブリ６０を介する内外へのビール５２の双方向の流れは、図３において、矢印６７によって示される。
【００１６】
図４を参照して、該バルブアセンブリ６０をより詳細に示す。該バルブアセンブリ６０は、樽２２の隆起したカラー開口部４６に適合するように調整される。該バルブアセンブリ６０は、栓７２によって頂部カラー４６内に固定されたバルブボディ７０を有する。該バルブボディ７０は、タップ１４に接続されたタップ分注アダプター（示されず）と嵌合するために、環状溝７２および該樽２２の上に延びるように調整されたフランジ７４を有する。
【００１７】
該バルブボディ７０は、相互から間隔を設けられ、該バルブボディ７０を通って延びる、第１の通路７６、第２の通路７８、および第３の通路８０を有する。該第１の通路７６は、中央に配置されるかあるいは該バルブボディ７０内に配置され、該第２および第３の通路７８、および８０は、該第１の中央通路７６の半径方向に間隔を開けられる。
【００１８】
該バルブアセンブリは、第１のバルブ８２、第２のバルブ８４および第３のバルブ８６を含む。該第１のバルブ８４は、該バッグ５０内外への該第１の通路７６を通る該飲料またはビールの該流れを制御するために、該第１の通路７６に着座される。
【００１９】
該第２のバルブ８６は、該バッグ５０内外への該第２の通路７８を通る二酸化炭素のようなガスの該流れを制御するために、該第２の通路７８に着座される。
【００２０】
該第３のバルブ８６は、該第３の通路８０に着座され、該第３の通路５２を通る、該バッグ５０の外にある該樽内外へのガスの該流れを制御する。
【００２１】
図４および５を参照して、該バルブボディ７０は、該バッグ５０内から該樽２２内へと、該バルブボディを通って延びる圧力抜き通路９０を有する。この圧力抜き通路９０は、該第３の通路７８とは別の通路であり、図４において点線で示されている。
【００２２】
該バルブボディ６０は、該圧力抜き通路９０の開口９４（図５）を囲う埋め込み式ディスク形状台座９２を有する。
【００２３】
図５を参照して、破裂ディスク９６は、圧力抜き通路を通常は閉じる該埋め込み式ディスク形状台座９２に着座される。該破裂ディスク９６は、第１の側面１００上で、該埋め込み式ディスク形状台座９２に貼り付けられた両面粘着物質のリング９８を含む。該ディスク９６は、さらに、該圧力抜き通路９０の開口９４を横切って延びるように、該リング９８の第２の側面１０４に貼り付けられた少なくとも１つの膜１０２を有する。該膜は、好ましくは、アルミニウムホイルによって覆われた１層のポリ塩化ビニルプラスチックを含む。該膜は、該バッグ５０中の該圧力が、好ましくは７バール±１０％である該所定の圧力値を超えると、破裂するあるいは裂ける。該膜１０２が破裂すると、流体は、該バッグ５０から、該圧力抜き通路９２を通って、該バッグ５０の周りの該樽２２に逃げる。
【００２４】
該埋め込み式ディスク形状台座９２は、該圧力抜き通路９０の該開口９４の周りの丸い肩フランジ１１０を有し、該膜１０２は伸びて、該丸い肩フランジ１１０の上方に曲がる。
【００２５】
該樽２２は、ビール器具ユニット１０との使用のための該示された具体例において記載されてきたが、本発明は、器具ユニット以外の適用で用途を見つけ得る樽および他の飲料容器で使用されてもよい。
【００２６】
本発明の性質および目的をより良く理解するために、添付の線図に言及してもよい：
【図面の簡単な説明】
【００２７】
【図１】図１は、本発明による家庭用ビール分注装置の正面図である；
【図２】図２は、該家庭用ビール分注装置の側面図である；
【図３】図３は、該樽の側面図である；
【図４】図４は、図３に示された該バルブアセンブリの拡大分解図である；ならびに
【図５】図５は、該バルブアセンブリ内に取り付けられた該破裂ディスクの拡大側面図である。
【図１】
2007537952.tif 000003
【図２】
2007537952.tif 000004
【図３】
2007537952.tif 000005
【図４】
2007537952.tif 000006
【図５】
2007537952.tif 000007
【国際調査報告】
2007537952.tif 000008
2007537952.tif 000009
2007537952.tif 000010